(57)【要約】【課題】冊子内蔵封書を簡易かつ低コストで得ることである。【解決手段】封書１を、封書部１１と、横折れ線１４を介して連設される冊子部１２と、縦折れ線１５を介して連設される継ぎ代部１３とからなる１枚の封書用シート１０から形成する。封書部１１は、縦折れ線１６により表紙片１１ａ、１１ｂに等分され、冊子部１２は、縦横折れ線１７、１８により頁片１２ａ〜１２ｄに等分される。横折れ線１４、１８を折り曲げて封書部１１と冊子部１２を折り重ねる。縦折れ線１６、１７を折り曲げて封書部１１を外側に、冊子部１２を内側にして折り重ねる。縦折れ線１６、１７に沿って、表紙片１１ａ、１１ｂや頁片１２ａ〜１２ｄを貼り合わせる。表紙片１１ａ、１１ｂの側辺を貼り合わせ、縦折れ線１５を折り曲げて封書部１１に継ぎ代部１３を折り重ねて貼り合わせる。こうして、簡単かつ低コストで封書１が作製される。【選択図】図１
2008018689.tif 000002
【特許請求の範囲】
【請求項１】
方形の封書部１１と、この封書部１１の一方側辺に境界横折れ線１４を介して連設される方形の冊子部１２と、この封書部１１の一方端辺に境界縦折れ線１５を介して連設される方形の継ぎ代部１３とから少なくともなり、
この封書部１１は、前記境界横折れ線１４に直交する封書部縦折れ線１６により２つの表紙片１１ａ、１１ｂに等分に区画され、
この冊子部１２は、前記封書部縦折れ線１６を冊子部１２上に延長してなる冊子部縦折れ線１７により２つの頁片に等分に区画された封書用シート。
【請求項２】
上記封書部１１と冊子部１２の境界の境界横折れ線１４の両側近傍に、この境界横折れ線１４と平行に延びる易切断線１９を設け、
封書部１１の、冊子部１２が連設される一方側辺と対向する他方側辺の近傍に、この他方側辺と平行に延びる易切断線１９を設けた請求項1に記載の封書用シート。
【請求項３】
表裏に印刷を施した請求項1または２に記載の封書用シートを、上記境界横折れ線１４を折り曲げて封書部１１と冊子部１２を折り重ね、
こうして重なり合う上記封書部縦折れ線１６および冊子部縦折れ線１７を折り曲げて封書部１１を外側に、冊子部１２を内側にして折り重ね、
この封書部縦折れ線１６および冊子部縦折れ線１７に沿って、その近傍において、表紙片１１ａ、１１ｂ、と頁片および頁片相互を貼り合わせ、さらに表紙片１１ａ、１１ｂの両側辺相互を貼り合わせ、
上記境界縦折れ線１５を折り曲げて、封書部１１の継ぎ代部１３が連設される一方端辺と対向する他方端辺近傍にこの継ぎ代部１３を折り重ね、これらを貼り合わせてなる冊子内蔵封書。
【請求項４】
表裏に印刷を施した請求項1または２に記載の封書用シートの、上記封書部縦折れ線１６および冊子部縦折れ線１７に沿ってその近傍に熱溶着性の接着剤を塗布し、上記継ぎ代部１３に熱溶着性の接着剤を塗布し、上記封書部１１の両側辺または一方側辺に沿ってその近傍に熱溶着性の接着剤を塗布する接着剤塗布工程と、
上記境界横折れ線１４を折り曲げて封書部１１と冊子部１２を折り重ね、重なり合う上記封書部縦折れ線１６および冊子部縦折れ線１７を折り曲げて封書部１１を外側に、冊子部１２を内側にして折り重ね、境界縦折れ線１５を折り曲げて封書部１１の上記一方端辺と対向する他方端辺近傍に継ぎ代部１３を折り重ねる折りたたみ工程と、
こうして折りたたまれた封書用シートに熱を加えて、接着剤を溶融させて貼り合わせる貼り付け工程とからなる冊子内蔵封書の製造方法。
【請求項５】
方形の封書部１１と、この封書部１１の一方側辺に境界横折れ線１４を介して連設される方形の冊子部１２と、この封書部１１の一方端辺に境界縦折れ線１５を介して連設される方形の継ぎ代部１３とから少なくともなり、
この封書部１１は、前記境界横折れ線１４に直交する封書部縦折れ線１６により２つの表紙片１１ａ、１１ｂに等分に区画され、
この冊子部１２は、前記封書部縦折れ線１６を冊子部１２上に延長してなる冊子部縦折れ線１７と、前記境界横折れ線１４と平行な一または複数の冊子部横折れ線１８により４以上の頁片１２ａ〜１２ｄに等分に区画された封書用シート。
【請求項６】
上記封書部１１と冊子部１２の境界の境界横折れ線１４の両側近傍に、この境界横折れ線１４と平行に延びる易切断線１９を設け、
封書部１１の冊子部１２が連設される一方側辺と対向する他方側辺の近傍に、この他方側辺と平行に延びる易切断線１９を設け、
上記冊子部横折れ線１８を易切断線とした請求項５に記載の封書用シート。  
【請求項７】
表裏に印刷を施した請求項５または６に記載の封書用シートを、上記境界横折れ線１４および冊子部横折れ線１８を折り曲げて封書部１１と冊子部１２を折り重ね、
こうして重なり合う上記封書部縦折れ線１６および冊子部縦折れ線１７を折り曲げて封書部１１を外側に、冊子部１２を内側にして折り重ね、
この封書部縦折れ線１６および冊子部縦折れ線１７に沿って、その近傍において、表紙片１１ａ、１１ｂと頁片１２ａ、１２ｃ、および頁片１２ａ〜１２ｄ相互を貼り合わせ、さらに表紙片１１ａ、１１ｂの両側辺相互を貼り合わせ、
上記境界縦折れ線１５を折り曲げて、封書部１１の継ぎ代部１３が連設される一方端辺に対向する他方端辺近傍にこの継ぎ代部１３を折り重ね、これらを貼り合わせてなる冊子内蔵封書。
【請求項８】
表裏に印刷を施した請求項５または６に記載の封書用シートの、上記封書部縦折れ線１６および冊子部縦折れ線１７に沿って、その近傍に熱溶着性の接着剤を塗布し、上記継ぎ代部１３に熱溶着性の接着剤を塗布し、上記封書部１１の両側辺または一方側辺に沿ってその近傍に熱溶着性の接着剤を塗布する接着剤塗布工程と、
上記境界横折れ線１４および冊子部横折れ線１８を折り曲げて封書部１１と冊子部１２を折り重ね、重なり合う上記封書部縦折れ線１６および冊子部縦折れ線１７を折り曲げて封書部１１を外側に、冊子部１２を内側にして折り重ね、上記境界縦折れ線１５を折り曲げて封書部１１の継ぎ代部１３が連設される一方端辺と対向する他方端辺にこの継ぎ代部１３を折り重ねる折りたたみ工程と、
こうして折りたたまれた封書用シートに熱を加えて、接着剤を溶融させて貼り合わせる貼り付け工程とからなる冊子内蔵封書の製造方法。
【発明の詳細な説明】
【技術分野】
【０００１】
この発明は、冊子が内蔵された封書と、折り畳みによりこの封書が得られる封書用シートと、この封書の製造方法に関する。
【背景技術】
【０００２】
従来から、デパート等の送り手側から顧客等の受け取り側に対しはがきにより、各種商品やフェア等の宣伝広告がなされることがよくある。
しかし、このようなはがきでは、盛り込める情報量が少ないため、正確、詳細な内容が伝わりにくく、送り手側も受取り側も双方が不便であった。
一方、封書に十分に情報を盛り込んだチラシ等を封入し、送付することもよく行われているが、開封してチラシを取り出した上、折りたたんだチラシを広げなければならず煩雑であり、大きく広がるため見にくかった。
【０００３】
そこで、特許文献１や２に記載されるように、冊子が内蔵された封書が発明されている。
このような封書を開封すると、中から冊子が現れてパンフレット状となるため、この小さな冊子をめくることで、封書の受取人は十分な情報が盛り込まれたその内容を容易に読み取ることができ、非常に便利である。
【０００４】
ところで、従来のこれらの冊子内蔵型の封書は、封書と冊子とが別体に形成され、これら別体のものを貼り合わせるなどして製造されているため、工程が複雑であり、製造コストがかかった。
【特許文献１】特開平７−３２９９８２号公報
【特許文献２】特開平９−３９４５０号公報
【発明の開示】
【発明が解決しようとする課題】
【０００５】
そこで、この発明は、冊子が内蔵された封書を簡易かつ低コストで得ることをその課題とする。
【課題を解決するための手段】
【０００６】
上記課題を解決するため、この発明においては、冊子内蔵封書を封書部と冊子部が一体に形成された一枚の封書用シートから構成した。
【０００７】
すなわち、方形の封書部と、この封書部の一方側辺に境界横折れ線を介して連設される方形の冊子部と、この封書部の一方端辺に境界縦折れ線を介して連設される方形の継ぎ代部とから少なくともなり、この封書部は、境界横折れ線に直交する封書部縦折れ線により２つの表紙片に等分に区画され、この冊子部は、封書部縦折れ線を冊子部上に延長してなる冊子部縦折れ線により２つの頁片に等分に区画された封書用シートを構成した。
【０００８】
表裏に印刷を施したこの封書用シートを、まず、境界横折れ線を折り曲げて封書部と冊子部を折り重ね、こうして重なり合う封書部縦折れ線および冊子部縦折れ線を折り曲げて封書部を外側に、冊子部を内側にして折り重ねる。
つぎに、この封書部縦折れ線および冊子部縦折れ線に沿って、表紙片と頁片および頁片相互を貼り合わせ、さらに表紙片の両側辺相互を貼り合わせる。
最後に、境界縦折れ線を折り曲げて、封書部の継ぎ代部が連設される一方端辺と対向する他方端辺近傍に継ぎ代部を折り重ね、これらを貼り合わせると冊子内蔵封書が完成する。
【０００９】
この冊子内蔵封書を開封する際には、まず、封書部の貼り合わせられた両側辺部分を破る。
つぎに、封書部の他方端辺近傍に貼り付けられた継ぎ代部を封書部から剥がす。
こうすると、２枚の頁片からなる冊子部が封書部の中から現れるため、パンフレット状にめくることで、内容が容易に読み取り可能となる。
【００１０】
このように、冊子内蔵封書を封書部と冊子部が一体の一枚の封書用シートから構成し、これを折りたたみ、貼り合わせるのみで封書を製造することができるようにしたため、従来のこれらが別体の場合と比べて製造が容易で、その結果製造コストが低廉である。
【００１１】
具体的な製造方法としては、以下の三工程からなるものが好ましい。
第一工程は、封書用シートの、封書部縦折れ線および冊子部縦折れ線に沿ってその近傍に熱溶着性の接着剤を塗布し、継ぎ代部に熱溶着性の接着剤を塗布し、封書部の両側辺または一方側辺に沿ってその近傍に熱溶着性の接着剤を塗布する接着剤塗布工程である。
第二工程は、境界横折れ線を折り曲げて封書部と冊子部とを折り重ね、こうして重なり合う封書部縦折れ線および冊子部縦折れ線を折り曲げて封書部を外側に、冊子部を内側にして折り重ね、境界縦折れ線を折り曲げて封書部の継ぎ代部が連設される一方端辺に対向する他方端辺近傍に継ぎ代部を折り重ねる折りたたみ工程である。
第三工程は、こうして折り畳まれた封書用シートに熱を加えて、接着剤を溶融させて貼り合わせる貼り付け工程である。
このようにすると、シートに接着剤を塗布した上で、折りたたみ、熱で圧着させるだけで封書が完成するため、特に簡単に仕上がる。
【００１２】
また、封書部と冊子部の境界の境界横折れ線の両側近傍に、これと平行に延びる易切断線を設け、
さらに、封書部の冊子部が連設される一方側辺と対向する他方側辺の近傍にこれらと平行に延びる易切断線を設ける。
このようにすると、この易切断線で封書両側部分を封書から切りはなすことで容易に開封可能となる。
ここで易切断線とは、ミシン目、ハーフカット、薄肉成形など切断容易に加工された線をいう。
【００１３】
上記した場合では、冊子部の頁片は２枚であるが、より情報量を多く内容を充実させるため、頁片の数をこれ以上としてもよいことは無論である。
すなわち、冊子部は、封書部縦折れ線を冊子部上に延長してなる冊子部縦折れ線と、上述した封書部と冊子部との境界の境界横折れ線と平行な一または複数の冊子部横折れ線により４以上の頁片に等分に区画してもよい。
この場合、冊子内蔵封書を作製するための折り曲げの際には、冊子部を冊子部横折れ線で順次折り重ねていくこととなる。
また、開封の際には、上述した封書両側の切り離しに加えて、冊子部横折れ線を切断することで、冊子部が頁片に分割され、パンフレット状にめくることが可能となる。
ここで、冊子部横折れ線を易切断線とすると、切断作業が容易となる。
【発明の効果】
【００１４】
冊子内蔵封書を封書部と冊子部とが一体の一枚の封書用シートから構成したことにより、このシートを折りたたみ、貼り合わせるのみで封書を製造することができるため、製造が容易であり、結果製造コストも低廉であるという効果を奏する。
【発明を実施するための最良の形態】
【００１５】
以下、図面を参照しつつ、この発明の実施の形態について説明する。
【００１６】
図１（ａ）は、実施形態にかかる封書用シート１０の展開状態を示す。
封書用シート１０は紙製であり、図示のように、方形の封書部１１と、この封書部１１の一方側辺に境界横折れ線１４を介して連設される、横幅が封書部１１とほぼ同一で、縦幅が封書部１１より大きな方形の冊子部１２と、この封書部１１の一方端辺に境界縦折れ線１５を介して連設される、縦幅が封書部１１とほぼ同一で横幅が小さな方形（台形）の継ぎ代部１３とからなる。
このような封書用シート１０は、紙製シートを切り抜いて作製される。
また、図では省略しているが、封書用シート１０の表裏面には、適宜印刷が施されている。
【００１７】
封書部１１は、その横幅方向の中程を、境界横折れ線１４とほぼ直交する方向（縦方向）に走る封書部縦折れ線１６により、２つの表紙片１１ａ、１１ｂにほぼ等分に区画されている。
【００１８】
冊子部１２は、封書部縦折れ線１６をほぼ延長した方向（縦方向）に走る冊子部縦折れ線１７と、その縦幅方向の中程を、境界横折れ線１４とほぼ平行に、横方向に走る冊子部横折れ線１８により４つの頁片１２ａ、１２ｂ、１２ｃ、１２ｄにほぼ等分に区画されている。
冊子部１２の冊子部横折れ線１８の両端部はＶ字型に切り欠かれ、切り欠き部１８ａが形成されている。
ここで、冊子部横折れ線１８には、ミシン目が連続的にあるいは間隔を置いて入れられている。
また、封書部１１と継ぎ代部１３との境界の境界縦折れ線１５にも連続的にあるいは間隔を置いてミシン目が入れられている。
【００１９】
また、図示のように、境界横折れ線１４の両側近傍には、この折れ線１４とほぼ平行に走る上述したのと同様のミシン目１９が形成されている。
そして、封書部１１の冊子部１２が連設された一方側辺と対向する他方側辺の近傍には、この側辺とほぼ平行に走る同様のミシン目１９が形成されている。
なお、境界横折れ線１４にも、折り曲げを容易とするために、ミシン目が入れられている。
【００２０】
これらミシン目が入れられた冊子部横折れ線１８、境界縦折れ線１５、境界横折れ線１４の両側近傍、封書部１１の他方側辺の近傍のミシン目１９により、これらの部分で封書用シート１０は切断容易となっている。  
【００２１】
さらに、図においては省略しているが、封書部縦折れ線１６および冊子部縦折れ線１７に沿ってその近傍に接着剤が塗布されている。
また、継ぎ代部１３のほぼ全面に接着剤が塗布されている。
封書部１１の両側辺とミシン目１９に挟まれる２つの空間の一方または双方には接着剤が塗布されている。
【００２２】
封書用シート１０は以上の構成であり、つぎに、この封書用シート１０から実施形態にかかる冊子内蔵封書１を作製する。  
【００２３】
まず、図１（ａ）の矢印で示すように、冊子部１２の冊子部横折れ線１８を折り曲げて冊子部１２を２つ折りにして折り重ねて図１（ｂ）の状態にする。
この際に、頁片１２ａが１２ｂに、１２ｃが１２ｄにそれぞれ折り重なる。
【００２４】
つぎに、図２（ａ）の矢印で示すように、封書部１１と冊子部１２との境界のミシン目が入れられて折り曲げやすくなった境界横折れ線１４を折り曲げて、先に折り重ねた冊子部１２をそのまま封書部１１に折り重ねて図２（ｂ）の状態にする。
この際に、表紙片１１ａに頁片１２ａおよび１２ｂが、表紙片１１ｂに頁片１２ｃおよび１２ｄがそれぞれ折り重なる。
【００２５】
さらに、図３（ａ）の矢印で示すように、封書部１１と冊子部１２を上述したように折り重ねることにより、重なり合った封書部縦折れ線１６および冊子部縦折れ線１７を折り曲げて、冊子部１２が内側に、封書部１１が外側になるようにして折り重ね、図３（ｂ）の状態にする。
【００２６】
こうして封書部１１の表紙片１１ａ、冊子部１２の頁片１２ａ、１２ｂ、１２ｄ、１２ｃ、封書部１１の表紙片１１ｂの順にこれらがすべて折り重ねられて図４（ａ）のようになる。
【００２７】
ここで、上述したように、封書部縦折れ線１６および冊子部縦折れ線１７に沿ってその近傍に接着剤が塗布されている。
そのため、図５（ａ）のように、これら表紙片１１ａ、頁片１２ａ、１２ｂ、１２ｄ、１２ｃ、表紙片１１ｂが封書部縦折れ線１６および冊子部縦折れ線１７に沿ってその端部が互いに貼り合わせられた状態となっている。
また、図５（ｂ）からわかるように、頁片１２ａ〜１２ｄの縦幅は表紙片１１ａ、１１ｂの縦幅よりも若干小さく形成されており、折りたたんだ状態で頁片１２ａ〜１２ｄが、封書部１１両側のミシン目１９よりも内側に位置するようになっている。
【００２８】
つぎに、図４（ａ）の矢印で示すように、封書部１１と継ぎ代部１３との境界の境界縦折れ線１５を折り曲げて継ぎ代部１３を封書部１１の表紙片１１ａの上に折り重ねて図４（ｂ）の状態にする。
継ぎ代部１３には接着剤が塗布されているため、これらは貼り合わせられる。
ここで、図５（ｃ）からわかるように、封書部１１の両側辺とミシン目１９に挟まれる空間には接着剤が塗布されているため、表紙片１１ａと表紙片１１ｂとはその両側同士が貼り合わせられる。
【００２９】
このようにして１枚の封書用シート１０を折りたたみ、接着するのみで簡単に図４（ｂ）のような冊子内蔵封書１が完成する。
【００３０】
なお、この折りたたみ工程は、周知のシート状物折りたたみ装置（いわゆるメーラー）をそのまま用いることができ、容易に自動化可能である。
さらに、用いる接着剤として熱溶着性接着剤を選択すると、上述したように折り畳んだ封書用シート１０に周知の熱プレス装置で熱プレスをかけるだけで、冊子内蔵封書１を簡単に作製することができる。
【００３１】
このような冊子内蔵封書１を開封するには、まず、図６（ａ）の矢印で示すように、封書部１１両側のミシン目１９を切断してその両側部分を冊子内蔵封書１本体から切り離す。
このとき上述したように、頁片１２ａ〜１２ｄは、封書部１１両側のミシン目１９より内側にあるため、ミシン目１９の切断時によりこれらが破けることはない。
【００３２】
次に、図６（ｂ）の矢印で示すように、継ぎ代部１３を封書部１１の表紙片１１ａから剥がし、図中鎖線で示す状態とする。
なお、剥がしやすくするために、この部分の接着剤を他の部分の接着剤と違えて比較的剥離容易なものとしてもよい。
【００３３】
さらに、図６（ｃ）の矢印で示すように、封書部１１と継ぎ代部１３の境界のミシン目が入れられた境界縦折れ線１５を切断して、図中鎖線で示すように、継ぎ代部１３を冊子内蔵封書１本体から切り離す。
このように継ぎ代部１３を切断しておくと出っ張りがなくなるため、封書１をめくる際に邪魔にならず、めくりやすい。
境界縦折れ線１５には、ミシン目を入れておくことが好ましい。
なお、境界縦折れ線１５に、ミシン目を入れた場合には、継ぎ代部１３を封書部１１の表紙片１１ａから剥がさないままでミシン目を切断することで、この部分を開封してもよい。
【００３４】
次に、図７（ａ）の矢印で示すように、頁片１２ａ〜１２ｄを区画する、ミシン目が入れられた冊子部横折れ線１８を切断して、図中鎖線で示すように頁片１２ａ〜１２ｄ相互を分離する。
このとき、冊子部横折れ線１８の両端部には、切り欠き部１８ａが形成されているため、つまみやすく、切断が容易となっている。
【００３５】
こうして、図７（ｂ）のように、冊子内蔵封書１は、表紙片１１ａ、１１ｂをのぞいて表裏８ページのパンフレット状態となる。
この際に、表紙片１１ａ、１１ｂ、頁片１２ａ〜１２ｄ相互が、封書部縦折れ線１６および冊子部縦折れ線１７に沿ってその近傍に塗布された接着剤により、その端部が互いに貼り合わせられているため、ばらばらに分離することがない。
そのため図示のように、それぞれの印刷が施された頁片１２ａ〜１２ｄを適宜めくることで内容をたやすく読み取ることができ、非常に便利である。
【００３６】
なお、この実施形態においては、頁片の数を１２ａ〜１２ｄの４つとしたがこれに限られない。
例えば、冊子部１２の縦幅を、実施形態の約半分、すなわち封書部１１の縦幅よりやや小さく形成し、これを、封書部縦折れ線１６を延長した方向に走る冊子部縦折れ線１７のみで２つの頁片に区画することもできる。
このよう封書用シートを折りたたみ封書１とし、これを開封すれば、表紙片１１ａ、１１ｂをのぞいて表裏４ページの厚みの薄いパンフレット状態となる。
また、冊子部１２の縦幅を、実施形態の約１．５倍（封書部１１の縦幅の３倍弱）に形成し、これを、封書部縦折れ線１６を延長した方向に走る冊子部縦折れ線１７と、２つの平行に走る冊子部横折れ線１８とで２×３の６つの頁片に区画することもできる。
このようにすれば、封書１は、表紙片１１ａ、１１ｂをのぞいて表裏１２ページのパンフレット状態となり、かなりの量の情報を詰め込むことができる。
もっとも、余りに頁片の数を増やす（冊子部の縦幅を大きくする）と、折りたたんだ際の封書１の厚みが増して貼り合わせに支障を生じ、また、重たくなるため問題である。
こうして、必要な情報量と厚み等との兼ね合いを考慮して、冊子部１２の縦幅の寸法および冊子部横折れ線１８の数を適宜変更することにより、ページ数を適宜変更可能である。
【００３７】
また、継ぎ代部１３は、実施の形態の場合の端辺に設けられた継ぎ代部１３に加えて、封書部１１の、例えば表紙片１１ｂの冊子部１２が連設されていない側の側辺に横折れ線を介して設けてもよい。
この場合、折りたたみ工程の際に、この側辺継ぎ代部と封書部１１との境界の横折れ線を折り曲げて、側辺継ぎ代部を封書部１１の表紙片１１ａに重ね合わせ貼り合わせると、封書１の一方側辺が簡単に封緘される。
そして、この横折れ線にミシン目を入れておくと、ミシン目を切断することでこの一方側辺を簡単に開封することができる。
この場合、上記したように横折れ線を切断して開封可能であるため、実施の形態と異なり、この側辺近傍に側辺に平行に走るミシン目１９を設けることは不要である。
【００３８】
さらに、冊子内蔵封書１の寸法および寸法比は特に限られず、大型封筒タイプや小型封筒タイプ、正方形などに自由に変更可能である。
また、冊子内蔵封書１の材質も、実施形態のような紙製が好適であるが、これに限られず、プラスチックフィルム等の紙と代替可能なシート状物でもよい。
【００３９】
切り欠き部１８ａの形状は、Ｕ字状など他の形状でもよく、実施形態に限られることはなく、切り欠き部１８ａを設けないことも勿論可能である。
また、境界横折れ線１４に入れたミシン目も、適宜省略可能である。
【図面の簡単な説明】
【００４０】
【図１】（ａ）の展開状態から（ｂ）の一部折りたたみ状態にいたる封書用シートの第一折りたたみ工程図
【図２】（ａ）から（ｂ）にいたる封書用シートの第二折りたたみ工程図
【図３】（ａ）から（ｂ）にいたる封書用シートの第三折りたたみ工程図
【図４】（ａ）の一部折りたたみ状態から（ｂ）の封書完成状態に至る封書用シートの第四折りたたみ工程図
【図５】（ａ）は図４（ａ）におけるＡ−Ａ断面図、（ｂ）は図４（ａ）におけるＢ−Ｂ断面図、（ｃ）は図４（ｂ）におけるＣ−Ｃ断面図
【図６】（ａ）の封緘状態から（ｃ）の一部開封状態にいたる冊子内蔵封書の第一開封工程図
【図７】（ａ）の一部開封状態から（ｂ）の全部開封状態にいたる冊子内蔵封書の第二開封工程図
【符号の説明】
【００４１】
１  冊子内蔵封書
１０  封書用シート
１１  封書部
１１ａ、１１ｂ  表紙片
１２  冊子部
１２ａ、１２ｂ、１２ｃ、１２ｄ  頁片
１３  継ぎ代部
１４  境界横折れ線
１５  境界縦折れ線
１６  封書部縦折れ線
１７  冊子部縦折れ線
１８  冊子部横折れ線
１８ａ  切り欠き部
１９  ミシン目
【図１】
2008018689.tif 000003
【図２】
2008018689.tif 000004
【図３】
2008018689.tif 000005
【図４】
2008018689.tif 000006
【図５】
2008018689.tif 000007
【図６】
2008018689.tif 000008
【図７】
2008018689.tif 000009